(57)【要約】      （修正有）【課題】二つに分割された握り部と箸先部との連結操作を簡単に行えるようにすると共に、連結後の連結状態を安定に維持可能にする携帯箸及びその携帯用ケースを提供する。【解決手段】一対の箸１をそれぞれ長手方向に箸先部２と握り部３とに分割し、前記箸先部の後部に強磁性体の金属又は磁石からなる連結ロッド４を後方へ延長するように固定し、前記握り部の前部に前記連結ロッドがすきまばめの嵌め合いで嵌合する挿入穴５を設けると共に、前記挿入穴の底部に磁石６を埋設した構成からなる携帯箸１０。【選択図】図１
2020108597.tif 000002
【特許請求の範囲】
【請求項１】
一対の箸をそれぞれ長手方向に箸先部と握り部とに分割し、前記箸先部の後部に強磁性体の金属又は磁石からなる連結ロッドを後方へ延長するように固定し、前記握り部の前部に前記連結ロッドがすきまばめの嵌め合いで嵌合する挿入穴を設けると共に、前記挿入穴の底部に磁石を埋設した構成からなる携帯箸。
【請求項２】
前記握り部に埋設された前記磁石の背部側に強磁性体の金属部材を埋設した請求項１に記載の携帯箸。
【請求項３】
前記握り部における前記磁石のＮ極とＳ極の配列方向を、前記一対の箸の相互間で互いに逆方向にした請求項１または２に記載の携帯箸。
【請求項４】
前記箸先部の連結ロッドと前記握り部の挿入穴とのすきまばめの公差が、ＪＩＳ  Ｂ  ０４０１に規定の公差クラスで前記連結ロッドがｈ７またはｈ８、前記挿入穴がＨ７またはＨ８である請求項１〜３のいずれか１項に記載の携帯箸。
【請求項５】
前記箸先部の連結ロッドの突出長さを５ｍｍ〜２０ｍｍにした請求項１〜４のいずれか１項に記載の携帯箸。
【請求項６】
請求項１〜５のいずれか１項に記載の携帯箸を前記握り部と前記箸先部とを分離状態にして収納する携帯用ケースであって、前記携帯箸の収納部が、前記握り部を収納する上部域と前記箸先部を収納する下部域とを連通するように構成され、かつ前記上部域と前記下部域とが連通域を屈曲部として折り重ね可能になっている携帯箸の携帯用ケース。
【請求項７】
前記上部域の側部と前記下部域の側部に、それぞれスペア用箸先部の補助収納部を付設した請求項６に記載の携帯箸の携帯用ケース。
【発明の詳細な説明】
【技術分野】
【０００１】
本発明は、携帯箸及びその携帯用ケースに関する。
【背景技術】
【０００２】
割り箸は食事毎に使い捨てにされる。このように使い捨てにされる割り箸の使用量を、環境保全のため抑制すべきであるとの意見がある。また、外食時に店が用意した箸を使用せずに、自ら持参した好みの箸を使用するようにしたいとの意見もある。これらの要望を満たす対策として、特許文献１や特許文献２などでは携帯箸が提案されている。これら携帯箸の特徴は、箸の長手方向を握り部と箸先部とに２分割し、その両者の連結を伸縮自在にするとか、或いは屈折自在にするなどして、携行時にコンパクトに携帯しやすくなるようにしている。
【０００３】
例えば、特許文献１に記載の携帯箸は、握り側の上部筒の内側に長手方向２か所に節度溝（環状溝）を設け、箸先側の下部棒の端部に節度突起（環状突起）を設けるようにした構成になっている。下部棒の節度突起を上部筒の内側にスライドさせて、２か所の節度溝に対する係合を切り替えることで、箸の長さを短い収縮状態と長い伸長状態とに変化させるようにしている。しかし、下部棒の節度突起を上部筒内の２か所の節度溝間でスライドさせるとき大きな摩擦抵抗が生ずるため、円滑な操作が難しいという問題がある。また、節度突起は大きな摩擦抵抗により早期摩耗するため、寿命が短いという問題がある。
【０００４】
特許文献２に記載の携帯箸は、２分割された握り部側の前端と箸先部側の後端とをヒンジで屈折可能に連結し、そのヒンジの外側に筒状部材を摺動自在に嵌合させて、ヒンジの外側を覆うことで直線状態に維持させるようになっている。しかし、握り部と箸先部を直線状態に維持するには、筒状部材がヒンジ部の外周に固く嵌合している必要がある。しかし、ヒンジ部の外周に対する筒状部材の締付け力が大きいと、摩擦抵抗が過大になるため操作性が悪化するという問題がある。また、摩耗が早いため寿命が短いという問題がある。
【先行技術文献】
【特許文献】
【０００５】
【特許文献１】特開平１１−９４１７号公報
【特許文献２】特開２００９−１６０２１０号公報
【発明の概要】
【発明が解決しようとする課題】
【０００６】
本発明の目的は、上述した従来の問題を解消し、二つに分割された握り部と箸先部との連結操作を簡単に行えるようにすると共に、連結後の連結状態を安定に維持可能にする携帯箸及びその携帯用ケースを提供することにある。
【課題を解決するための手段】
【０００７】
本件第一発明は、一対の箸をそれぞれ長手方向に箸先部と握り部とに分割し、前記箸先部の後部に強磁性体の金属からなる連結ロッドを後方へ延長するように固定し、前記握り部の前部に前記連結ロッドがすきまばめの嵌め合いで嵌合する挿入穴を設けると共に、前記挿入穴の底部に磁石を埋設した構成からなる携帯箸である。
【０００８】
本件第二発明は、本件第一発明の携帯箸を前記握り部と前記箸先部とを分離状態にして収納する携帯用ケースであって、前記携帯箸の収納部が、前記握り部を収納する上部域と前記箸先部を収納する下部域とを連通するように構成され、かつ前記上部域と前記下部域とが連通域を屈曲部として折り重ね可能になっている携帯箸の携帯用ケースである。
【０００９】
本発明は、次の実施態様を含む。
［１］一対の箸をそれぞれ長手方向に箸先部と握り部とに分割し、前記箸先部の後部に強磁性体の金属からなる連結ロッドを後方へ延長するように固定し、前記握り部の前部に前記連結ロッドがすきまばめの嵌め合いで嵌合する挿入穴を設けると共に、前記挿入穴の底部に磁石を埋設した構成からなる携帯箸。
［２］前記握り部に埋設された前記磁石の背部側に強磁性体の金属部材を埋設した［１］に記載の携帯箸。
［３］前記握り部における前記磁石のＮ極とＳ極の配列方向を、前記一対の箸の相互間で互いに逆方向にした［１］または［２］に記載の携帯箸。
［４］前記箸先部の連結ロッドと前記握り部の挿入穴とのすきまばめの公差が、ＪＩＳ  Ｂ  ０４０１に規定の公差クラスで前記連結ロッドがｈ７またはｈ８、前記挿入穴がＨ７またはＨ８である［１］〜［３］のいずれかに記載の携帯箸。
［５］前記箸先部の連結ロッドの突出長さを５ｍｍ〜２０ｍｍにした［１］〜［４］のいずれかに記載の携帯箸。
［６］［１］〜［５］のいずれかに記載の携帯箸を前記握り部と前記箸先部とを分離状態にして収納する携帯用ケースであって、前記携帯箸の収納部が、前記握り部を収納する上部域と前記箸先部を収納する下部域とを連通するように構成され、かつ前記上部域と前記下部域とが連通域を屈曲部として折り重ね可能になっている携帯箸の携帯用ケース。
［７］前記上部域の側部と前記下部域の側部に、それぞれスペア用箸先部の補助収納部を付設した［６］に記載の携帯箸の携帯用ケース。
【発明の効果】
【００１０】
本発明の携帯箸によれば、箸先部の連結ロッドと握り部の挿入穴との嵌め合いが「すきまばめ」であるので、箸先部と握り部を連結するとき、連結ロッドの挿入穴へ挿入操作を抵抗なく円滑に行うことができる。また、連結ロッドを挿入穴へ挿入と同時に、連結ロッドの先端が挿入穴底部の磁石に吸引吸着されるので、箸先部と握り部とを安定な連結状態にすることができる。
【図面の簡単な説明】
【００１１】
【図１】図１は、本発明の携帯箸の一方の箸を平面図で示し、他方の箸を縦断面図で示した図である。
【図２】図２は、本発明の携帯箸の１本の箸を箸先部と握り部とに分離して示す縦断面図である。
【図３】図３は、本発明の携帯箸の箸先部の他の実施形態を示す縦断面図である。
【図４】図４は、本発明の携帯箸の携帯用ケースを例示する平面図である。
【図５】図５は、図４におけるＡ−Ａ断面図である。
【図６】図６（ａ）は図５におけるＤ−Ｄ断面図、図６（ｂ）は図５におけるＣ−Ｃ断面図、図６（ｃ）は図５におけるＢ−Ｂ断面図である。
【図７】図７は、図４の携帯用ケースを二つ折りにした状態を示す側面図である。
【図８】図８は、図４の携帯用ケースを構成する裁断シートの平面図である。
【発明を実施するための形態】
【００１２】
以下、図面を参照しながら、本発明を詳しく説明するが、本発明は図面に示したものに限定されるものではない。
【００１３】
（携帯箸）
図１は、本発明の携帯箸の一方の箸を平面図で示し、他方の箸を縦断面図で示した図である。図２は、本発明の携帯箸の１本の箸を箸先部と握り部とに分離して示す縦断面図である。
図１及び図２において、本発明の携帯箸１０は左右一対の箸１，１からなり、それぞれの箸１は長手方向に箸先部２と握り部３とに分割され、かつ、以下に説明するように着脱自在に連結された構成になっている。
【００１４】
箸先部２は、握り部３と対面する後部側に固定穴８を有し、その固定穴８に強磁性体金属又は磁石からなる連結ロッド４を圧入し、かつ後端側を後方へ延長している。握り部３には箸先部２と対面する前端側に挿入穴５を開口させ、かつ内部へ延長するように設けている。その挿入穴５の底部に磁石６が設けられ、さらに磁石６の背部側に強磁性体の金属部材７が埋設されている。
【００１５】
上記構成において、連結ロッド４は箸先部２の固定穴８に「しまりばめ」で固定されるが、握り部３の挿入穴５に対する嵌め合いは「すきまばめ」になっている。嵌め合いが「すきまばめ」であるため、箸先部２の連結ロッド４を握り部３の挿入穴５に差し込む操作を挿入穴５から抵抗を受けずにスムーズに行うことができる。しかも、挿入穴５の底部に磁石６が埋設されているため、連結ロッド４を挿入と同時に磁石６に強く吸着され、箸先部２と握り部３とを１本の箸として強固な連結状態にする。
【００１６】
機械工学で軸の直径が穴の直径よりも小さい場合の直径差を「すきま」といい、その「すきま」をもつ嵌め合いを「すきまばめ」という。一方、軸の直径が穴の直径よりも大きい場合の直径差を「しめしろ」といい、その「しめしろ」をもつ嵌め合いを「しまりばめ」という。
【００１７】
本発明において、連結ロッド４と挿入穴５との「すきまばめ」の寸法差は、ＪＩＳ  Ｂ  ０４０１に規定の公差クラスで、連結ロッド４の公差はｈ７またはｈ８にし、挿入穴５の公差はＨ７またはＨ８にすることが好ましい。連結ロッド４の公差をｈ７またはｈ８、挿入穴５の公差をＨ７またはＨ８にするときの組合せは、ｈ７とＨ７、ｈ７とＨ８、ｈ８とＨ７、ｈ８とＨ８のいずれであってもよい。寸法許容差が交差ｈ７やＨ７よりも小さいと、連結ロッド４の挿入穴５への挿入操作が円滑に行えなくなる。また、交差ｈ８やＨ８よりも大きいと、挿入操作は簡単になるが、挿入後の連結安定性が低下する。
【００１８】
連結ロッド４が箸先部２の後端から後方へ伸びる突出長さＬは、５ｍｍ〜２０ｍｍが好ましい。５ｍｍよりも短いと、箸先部２と握り部３との安定な連結維持性が低下する。また、２０ｍｍよりも長いと、連結ロッド４の挿入穴５への挿入操作が手間取るため、連結操作性が低下する。
【００１９】
箸１の横断面形状は、限定されないが、例えば、円形、楕円形、多角形（四角形、六角形など）、角に丸みをつけた多角形などを例示することができる。連結ロッド４および挿入穴５の横断面形状も、限定されないが、例えば、円形、楕円形、多角形（四角形、六角形など）、角に丸みをつけた多角形などを例示することができる。箸１の横断面形状が多角形の場合は、箸先部２と握り部３との連結部において、箸先部２の稜線と握り部３の稜線を一致させる必要があるので、連結ロッド４および挿入穴５の横断面形状を楕円形や多角形にして、箸先部２と握り部３とを連結した場合に稜線が自動的に一致するようにすることが好ましい。箸１の横断面形状が円形の場合は、稜線を合わせる手間がないので、連結ロッド４および挿入穴５の横断面形状を円形にすることができる。すなわち、箸１、連結ロッド４および挿入穴５の横断面形状は、いずれも円形にするのが好ましい。
【００２０】
図示の例では、磁石６の背部側に強磁性体の金属部材７が埋設されている。このように磁石６の磁極の一方に強磁性体の金属部材７を配置すると、磁石６のＳ極−Ｎ極間に生ずる磁束密度が増加し、磁石６の連結ロッド４に対する吸引力を増強するため、箸先部２と握り部３との連結強度を一層強化することができる。
【００２１】
また、握り部３に埋設された磁石６のＮ極とＳ極の配列方向は、左右一対の箸１，１間で互いに逆方向にすることが好ましい。磁石の磁極（Ｎ極とＳ極）は、異極同士の間は互いに吸引力が作用するが、同極同士は互いに反発力が作用するという特性がある。したがって、磁石６のＮ極とＳ極の配列方向を左右一対の箸１，１間で互いに逆方向にすると、一対の箸１，１間でＮ極とＳ極が互いに吸引し合って、一対の箸１，１を平行に引き揃えた状態にできる。しかし、一対の箸１，１間で磁石６のＮ極とＳ極の配列方向を同じ方向にすると、両箸間で磁力が互いに反発し合って、きれいに揃わない状態になりやすい。
【００２２】
箸先部２の連結ロッド４は握り部３の挿入穴５に挿入したとき、その先端が磁石６の表面に接触状態になっていることが好ましい。連結ロッド４の先端を磁石６の表面に接触状態にすることにより、箸先部２と握り部３との連結強度を強化することができる。連結ロッド４が磁石６の表面に非接触になる場合でも、その隙間を０．１ｍｍ以内にすることが好ましい。
【００２３】
本発明において、連結ロッド４や金属部材７に使用する強磁性体としては、鉄、ニッケル、コバルトなどのほか、これらのいずれか１種を主成分とする合金であってもよい。
連結ロッド４は、強磁性体の代わりに、磁石で形成してもよい。連結ロッド４を磁石で形成する場合は、連結ロッド４の磁石のＮ極とＳ極の配列方向を、一対の箸の相互間で互いに逆方向にすることが好ましい。磁石６のＮ極とＳ極の配列方向を左右一対の箸１，１間で互いに逆方向にすると、一対の箸１，１間でＮ極とＳ極が互いに吸引し合って、一対の箸１，１を平行に引き揃えた状態にできる。箸先部２と握り部３を連結するときは、箸先部２の連結ロッド４の握り部３と対面する側の極性と、握り部３に埋設された磁石６の箸先部２に対面する側の極性とが逆になるように、箸先部２と握り部３を組み合わせる。
【００２４】
箸先部２および握り部３の本体に使用する材料には、木、竹、樹脂などが好ましく使用される。金属も使用可能であるが、その場合はアルミニウムなどの非磁性体金属を使用する。
【００２５】
図３は、本発明の携帯箸の箸先部の他の実施形態を示す縦断面図である。
箸先部２に対する連結ロッド４の固定は「しまりばめ」が好ましいが、図３に例示するように、ネジ９の螺合により固定するものであってもよい。また、本発明の携帯箸１０は、使用とともに箸先部２の先端が摩耗するため寿命が短い。これに対して握り部３の方は、摩耗による劣化がないので、比較的長期に使用することが可能である。そのため、握り部３を漆塗り加工にしたり、金箔を施したりすることで、個人の好みに合わせた高級品にすることが可能である。したがって、箸先部２には複数のスペアを用意し、摩耗が一定以上に進行したときスペアと交換するようにすれば、高級仕上げの握り部と共に長期間の使用が可能になる。
【００２６】
（携帯用ケース）
本発明の携帯用ケースは、本発明の携帯箸１０を握り部３と箸先部２とを分離状態にして収納する携帯用ケースである。
図４〜７は、本発明の携帯箸１０の携帯用ケース２０を例示する。図４は、本発明の携帯箸の携帯用ケースを例示する平面図である。図５は、図４におけるＡ−Ａ断面図である。図６（ａ）は図５におけるＤ−Ｄ断面図、図６（ｂ）は図５におけるＣ−Ｃ断面図、図６（ｃ）は図５におけるＢ−Ｂ断面図である。図７は、図４の携帯用ケースを二つ折りにした状態を示す側面図である。
【００２７】
携帯用ケース２０は可撓性シートから構成され、図４に示すように、携帯箸１０を収納する収納部２１を上部域２１ａと下部域２１ｂとが互いに連通するように形成している。上部域２１ａは上端に差込口２３を有し、下部域２１ｂは折返し片２５で形成された底面２４を有している。また、上部域２１ａと下部域２１ｂとの側部に、それぞれスペア用箸先部２ａを収納する補助収納部２２ａ、２２ｂが付設されている。なお、スペア用箸先部２ａを収納する補助収納部２２ａ、２２ｂは必須のものではないので、省略してもよい。
【００２８】
このように形成された収納部２１に携帯箸１０を収納するときは、箸先部２と握り部３とを連結した携帯箸１０を上部域２１ａの上端の差込口２３から差し込み、箸先部２の先端が下部域２１ｂの底面２４に届くまで挿入する。次いで、箸先部２と握り部３とを分離し、中間の連通域２６を挟んで下部域２１ｂに箸先部２を収納し、上部域２１ａに握り部３が収納された状態にする。また、補助収納部２２ａと２２ｂに、それぞれスペア用箸先部２ａを挿入する。
【００２９】
次いで、図７に示すように、中間の連通域２６を屈曲部にして、下部域２１ｂを上部域２１ａ側に折り返すようにして重ね、さらに上部域２１ａから延長する折返し片２７を下部域２１ｂの上に折り返して重ねるようにする。折返し片２７は下部域２１ｂの表面に重ねたままにしてもよいが、好ましくは折返し片２７と下部域２１ｂとの間に面ファスナーなどを介在させて相互係止させるようにした方がよい。この折り畳みにより携帯用ケース２０が一層コンパクトになるため、移動時の携帯を一層便利にすることができる。
【００３０】
上記のように携帯用ケース２０に収納された携帯箸１０を取り出すときは、次のようにすればよい。
まず、折返し片２７と下部域２１ｂとを元に戻し、図４のように上部域２１ａと下部域２１ｂとが平面に展開した状態にする。次いで、左右一対の握り部３，３の頭部を押し込んで、下部域２１ｂ内の左右一対の箸先部２，２に連結させると、握り部３と箸先部２とが連結した携帯箸１０を完成することができる。このように携帯用ケース２０に収納した状態で握り部３と箸先部２との連結操作をすることができるので、箸の先端に指先などが触れることなく衛生的に連結処理することができる。
【００３１】
図８は、図４の携帯用ケースを構成する裁断シートの平面図である。
上記携帯用ケース２０は、図８に例示するような裁断シート３０から立体構造に形成することができる。裁断シート３０は可撓性シートからなり、例えば樹脂シート、布帛シート、皮革などを用いることができる。
【００３２】
裁断シート３０は、収納部２１に対応するベースシート部３１と、補助ベースシート部３２とを中央部に有し、かつこれらベースシート部の前後両端に、それぞれ折返し片２５と２７とを有している。ベースシート部３１には、側部から横方向に外周シート部３３が延長し、さらにその外周シート部３３に折返し片３４が連接されている。外周シート部３３は、携帯用ケース２０の収納部２１の外周壁を形成する部分になり、折返し片３４は裏面側を面ファスナーなどを介してベースシート部３１に接合することで収納部２１の底面を形成する。
【００３３】
また、補助ベースシート部３２は、側部の前後２か所から、それぞれ横方向に外周シート部３５ａと３５ｂが延長し、さらに外周シート部３５ａと３５ｂにそれぞれ折返し片３６ａと３６ｂが連接されている。外周シート部３５ａと３５ｂは、それぞれ携帯用ケース２０の補助収納部２２ａ、２２ｂの外周壁を形成する部分であり、折返し片３６ａと３６ｂは裏面側が面ファスナーなどを介して補助ベースシート部３２に接合されることで補助収納部２２ａ、２２ｂの底面を形成する。
【符号の説明】
【００３４】
１    箸
２    箸先部
２ａ    スペア用箸先部
３    握り部
４    連結ロッド
５    挿入穴
６    磁石
７    金属部材
８    固定穴
９    ネジ
１０    携帯箸
２０    携帯用ケース
２１    収納部
２１ａ    上部域
２１ｂ    下部域
２２ａ、２２ｂ    補助収納部
２３    差込口
２５    折返し片
２４    底面
２５    折返し片
２６    連通域
２７    折返し片
３０    裁断シート
３１    ベースシート部
３２    補助ベースシート部
３３    外周シート部
３４    折返し片
３５ａ、３５ｂ    外周シート部
３６ａ、３６ｂ    折返し片
【図１】
2020108597.tif 000003
【図２】
2020108597.tif 000004
【図３】
2020108597.tif 000005
【図４】
2020108597.tif 000006
【図５】
2020108597.tif 000007
【図６】
2020108597.tif 000008
【図７】
2020108597.tif 000009
【図８】
2020108597.tif 000010